(57)【要約】【課題】服の胸ポケット等に入れた眼鏡を落ちにくくすることができると同時に、眼鏡に装着したまま眼鏡を使用した場合でも、視界に入りにくい眼鏡ホルダーを提供する。【解決手段】眼鏡フレーム４０のテンプル部４１の一部４１ｃを保持する保持部１０と、保持部１０に設けられ、衣服５０のポケット５１に掛け留めされるクリップ部２０とを有し、保持部１０は、軟質弾性体からなり、内部１３にテンプル部４１の一部４１ｃを保持可能で、保持状態でテンプル部４１と同方向へ延びるチューブ状の保持部１０であり、クリップ部２０は、保持部１０の母線の方向に延びる、保持部１０よりも幅の狭い棒状ないし板状のクリップであり、保持部１０は、クリップ部２０との対向部以外の部位において、保持部１０の長手方向全長に亘って延びるスリット１２を有している。【選択図】図３
2020030228.tif 000002
【特許請求の範囲】
【請求項１】
眼鏡フレーム（４０）のテンプル部（４１）の一部（４１ｃ）を保持する保持部（１０）と、
この保持部（１０）に設けられ、衣服（５０）のポケット（５１）に掛け留め可能なクリップ部（２０）とを有する眼鏡ホルダーであって、
前記保持部（１０）は、軟質弾性体からなり、内部（１３）に前記テンプル部（４１）の一部（４１ｃ）を保持可能で、保持状態でテンプル部（４１）と同方向へ延びるチューブ状の保持部であり、
前記クリップ部（２０）は、この保持部（１０）の母線の方向に延びる、前記保持部（１０）よりも幅の狭い棒状ないし板状のクリップであり、
前記保持部（１０）は、前記クリップ部（２０）との対向部（１１）以外の部位において、当該保持部（１０）の長手方向全長に亘って延びるスリット（１２）を有していることを特徴とする眼鏡ホルダー。
【請求項２】
請求項１において、
前記スリット（１２）の少なくとも一端には、端縁部（１２ｃ）に向かうにつれて広がるガイド口（１２ｇ）が設けられていることを特徴とする眼鏡ホルダー。
【請求項３】
請求項１または２において、
前記スリット（１２）は、前記保持部（１０）の軸線方向から見て前記クリップ部（２０）と反対側に設けられていることを特徴とする眼鏡ホルダー。
【発明の詳細な説明】
【技術分野】
【０００１】
本発明は、眼鏡ホルダーに関するものである。主として、洋服の胸ポケットに入れた眼鏡を落ちにくくする眼鏡ホルダーに関するものである。
【背景技術】
【０００２】
眼鏡を外して胸ポケット等に入れた後、それを忘れて前かがみになると、眼鏡が落ちて壊れてしまうことがある。
そこで、このような事態を防止したものとして、従来、例えば特許文献１に見られるように、メガネつる挟み部［１］［１］に、メガネつるを出し入れ出来るメガネつる止めゴム［３］を設け、更にポケット挟み部［２］［２］を取り付けたポケット用メガネずり落ち防止クリップが知られている。
【０００３】
このポケット用メガネずり落ち防止クリップによれば、メガネのつる挟み部［１］［１］の部分に付いているメガネつる止めゴムを介しメガネのつるを通し、ポケット挟み部［２］［２］をシャツ等のポケットに挟むことによって、ポケットに入れた眼鏡を落ちにくくすることができる。
【０００４】
しかし、このポケット用メガネずり落ち防止クリップ（以下、当該クリップともいう）は、メガネつる挟み部［１］とポケット挟み部［２］とが直交する、全体正面視でＬ字形ないしＴ字形をなすものであるため、同文献図３に示されるように、眼鏡に装着した際に、つる（テンプル部）から、メガネつる挟み部［１］とポケット挟み部［２］が大きく突出した状態となる。
【０００５】
このため、例えば、眼鏡をポケットに出し入れする際の眼鏡に対する当該クリップの着脱操作の煩雑さを避けるべく、眼鏡に当該クリップを装着したまま眼鏡を使用した際、当該クリップが視界に入りやすくなり、眼鏡の使用者に違和感を与えやすい。
【先行技術文献】
【特許文献】
【０００６】
【特許文献１】実用新案登録第３０１９２０３号公報
【発明の概要】
【発明が解決しようとする課題】
【０００７】
本発明が解決しようとする課題は、衣服の胸ポケット等に入れた眼鏡を落ちにくくすることができると同時に、眼鏡に装着したまま眼鏡を使用した場合でも、視界に入りにくい眼鏡ホルダーを提供することである。
【課題を解決するための手段】
【０００８】
上記課題を解決するために本発明の眼鏡ホルダーは、
眼鏡フレームのテンプル部の一部を保持する保持部と、
この保持部に設けられ、衣服のポケットに掛け留め可能なクリップ部とを有する眼鏡ホルダーであって、
前記保持部は、軟質弾性体からなり、内部に前記テンプル部の一部を保持可能で、保持状態でテンプル部と同方向へ延びるチューブ状の保持部であり、
前記クリップ部は、この保持部の母線の方向に延びる、前記保持部よりも幅の狭い棒状ないし板状のクリップであり、
前記保持部は、前記クリップ部との対向部以外の部位において、当該保持部の長手方向全長に亘って延びるスリットを有していることを特徴とする眼鏡ホルダー。
【０００９】
この眼鏡ホルダーによれば、眼鏡を外した際、保持部で眼鏡フレームのテンプル部の一部を保持し、眼鏡を衣服のポケット（例えば胸ポケット）に入れるとともに、クリップ部をポケットに掛け留めすることで、ポケットに入れた眼鏡を落ちにくくすることができる。
そして、前記保持部は、軟質弾性体からなり、内部に前記テンプル部の一部を保持可能で、保持状態でテンプル部と同方向へ延びるチューブ状の保持部であり、
前記クリップ部は、この保持部の母線の方向に延びる、前記保持部よりも幅の狭い棒状ないし板状のクリップであるから、この眼鏡ホルダーを眼鏡に装着した際の、テンプル部からの突出状態を小さくすることができる。
したがって、例えば、眼鏡をポケットに出し入れする際の眼鏡に対する本眼鏡ホルダーの着脱操作の煩雑さを避けるべく、眼鏡に本眼鏡ホルダーを装着したまま眼鏡を使用したとしても、本眼鏡ホルダーは視界に入りにくくなり、眼鏡の使用者に違和感を与えにくくなる。
以上のように、この眼鏡ホルダーによれば、衣服の胸ポケット等に入れた眼鏡を落ちにくくすることができると同時に、眼鏡に装着したまま眼鏡を使用した場合でも、視界に入りにくくすることができる。
しかも、前記保持部は、前記クリップ部との対向部以外の部位において、当該保持部の長手方向全長に亘って延びるスリットを有しているので、このスリットから保持部内にテンプル部の一部を押し込むようにして、当該テンプル部の一部を保持部で容易に保持させることができるとともに、保持部は軟質弾性体からなるチューブ状の保持部であるから、テンプル部の一部を傷等付けることなく優しく保持することができる。
【００１０】
この眼鏡ホルダーにおいては、
前記スリットの少なくとも一端には、端縁部に向かうにつれて広がるガイド口が設けられている構成とすることができる。
このように構成すると、このガイド口からスリットに沿わせて保持部内にテンプル部の一部を押し込むことができるので、眼鏡ホルダーを眼鏡に容易に装着することができるようになる。
【００１１】
この眼鏡ホルダーにおいては、
前記スリットは、前記保持部の軸線方向から見て前記クリップ部と反対側に設けられている構成とすることができる。
このように構成すると、クリップ部を摘まんで、スリットから保持部内にテンプル部の一部を押し込むことができるので、眼鏡ホルダーを眼鏡に容易に装着することができるようになる。
【図面の簡単な説明】
【００１２】
【図１】本発明に係る眼鏡ホルダーの実施の形態を示す図で、（ａ）は平面図、（ｂ）は正面図、（ｃ）は底面図、（ｄ）は左側面図、（ｅ）は変形例を示す左側面図、（ｆ）は他の変形例を示す底面図。
【図２】使用法を示す図で、（ａ）は平面図、（ｂ）は正面図。
【図３】眼鏡への装着状態を示す図で、（ａ）は平面図、（ｂ）は正面図、（ｃ）は図（ｂ）におけるｃ−ｃ断面図。
【図４】ポケットへの装着状態を示す図で、（ａ）は正面図、（ｂ）は図（ａ）におけるｂ−ｂ断面図。
【発明を実施するための形態】
【００１３】
以下、本発明に係る眼鏡ホルダーの実施の形態について図面を参照して説明する。なお、各図において、同一部分ないし相当する部分には、同一の符号を付してある。
【００１４】
図１〜図４に示すように、この実施の形態の眼鏡ホルダー１は、
眼鏡フレーム４０のテンプル部４１の一部４１ｃを保持する保持部１０と、
この保持部１０に設けられ、衣服５０（図４）のポケット５１に掛け留め可能なクリップ部２０とを有している。
【００１５】
保持部１０は、ゴムや軟質合成樹脂等の軟質弾性体からなり、内部１３（図１）に前記テンプル部４１の一部４１ｃを保持可能で、保持状態でテンプル部４１と同方向へ延びるチューブ状の保持部である。
【００１６】
クリップ部２０は、保持部１０の母線の方向に延びる、保持部１０よりも幅の狭い棒状ないし板状のクリップである。図１（ａ）において、クリップ部の幅をＷ１、保持部１０の幅をＷ２で示す。図示のクリップ部２０は棒状であるが、板状とすることもできる。
【００１７】
保持部１０は、クリップ部２０との対向部１１（図１（ｄ））以外の部位において、保持部１０の長手方向全長に亘って延びるスリット１２を有している。
【００１８】
この眼鏡ホルダー１によれば、眼鏡を外した際、例えば図３，図４に示すように、保持部１０で眼鏡フレーム４０のテンプル部４１の一部４１ｃを保持し、眼鏡（４０）を衣服５０のポケット５１（例えば胸ポケット５１）に入れるとともに、クリップ部２０をポケット５１に掛け留めすることで、ポケット５１に入れた眼鏡（４０）を落ちにくくすることができる。
【００１９】
そして、保持部１０は、軟質弾性体からなり、内部１３にテンプル部４１の一部４１ｃを保持可能で、保持状態でテンプル部４１と同方向へ延びるチューブ状の保持部であり、
クリップ部２０は、この保持部１０の母線の方向に延びる、保持部１０よりも幅の狭い棒状ないし板状のクリップであるから、この眼鏡ホルダー１を眼鏡（４０）に装着した際の、テンプル部４１からの突出状態を小さくすることができる（図３（ｂ）参照）。
【００２０】
したがって、例えば、眼鏡をポケット５１に出し入れする際の眼鏡に対する眼鏡ホルダー１の着脱操作の煩雑さを避けるべく、眼鏡に本眼鏡ホルダー１を装着したまま（図３参照）眼鏡を使用したとしても、本眼鏡ホルダー１は視界に入りにくくなり、眼鏡の使用者に違和感を与えにくくなる。
【００２１】
以上のように、この眼鏡ホルダーによれば、衣服５０の胸ポケット５１等に入れた眼鏡を落ちにくくすることができると同時に、眼鏡に装着したまま眼鏡を使用した場合でも、視界に入りにくくすることができる。
【００２２】
しかも、保持部１０は、クリップ部２０との対向部以外の部位において、保持部１０の長手方向全長に亘って延びるスリット１２を有しているので、例えば図２（ｂ）において仮想線１’から実線１に示すように、スリット１２から保持部１０内にテンプル部４１の一部４１ｃを押し込むようにして、テンプル部４１の一部４１ｃを保持部１０で容易に保持させることができるとともに、保持部１０は軟質弾性体からなるチューブ状の保持部１０であるから、テンプル部４１の一部４１ｃを傷等付けることなく優しく保持することができる。
【００２３】
図１（ｃ）（ｆ）に示すように、スリット１２の端部１２ｂには、端縁部１２ｃに向かうにつれて広がるガイド口１２ｇが設けられている。ガイド口１２ｇは図１（ｃ）に示すように、一端にのみ設けてもよいし、図１（ｆ）に示すように両端に設けてもよい。
【００２４】
このように構成すると、ガイド口１２ｇ（両端に設けた場合にはいずれか一方のガイド口１２g）からスリット１２に沿わせて保持部１０内にテンプル部４１の一部４１ｃを押し込むことができるので、眼鏡ホルダー１を眼鏡に容易に装着することができるようになる。
【００２５】
図１（ｄ）に示すように、スリット１２は、保持部１０の軸線方向から見てクリップ部２０と反対側に設けることが望ましい。
【００２６】
このように構成すると、眼鏡ホルダー１を例えば図２（ｂ）において仮想線１’から実線１に示すように眼鏡に装着する際、クリップ部２０を摘まんで、スリット１２から保持部１０内にテンプル部４１の一部４１ｃを押し込むことができるので、眼鏡ホルダー１を眼鏡に容易に装着することができるようになる。
【００２７】
しかも、眼鏡ホルダー１を装着するテンプル部４１の一部４１ｃの断面形状（図３（ｃ）参照）が縦方向（上下方向）へ長い形状である場合、図２（ｂ）に示すように眼鏡ホルダー１を装着した後、図３に示すように、眼鏡ホルダー１を、その軸線方向回りに回動させて、クリップ部２０がテンプル部４１の外側に位置するようにすると、クリップ部２０がより一層視界に入りにくくなるとともに、縦方向（上下方向）へ長いテンプル部４１の一部４１ｃに対してスリット１２が横方向に位置することとなるので、眼鏡ホルダー１がテンプル部４１から外れにくくなる。
また、クリップ部２０がテンプル部４１の外側に位置することで、図４に示すように、眼鏡（４０）をポケット５１に入れながら、クリップ部２０をポケット上部５２に掛け留めしやすくなる
【００２８】
保持部１０は、チューブ状であれば、眼鏡フレーム４０のテンプル部４１の一部４１ｃの形状に応じて適宜の形状、寸法を採用することができる。
保持部１０は、公知の適宜の軟質弾性体で構成することができる。例えば、ゴム（軟質ゴム、シリコンゴムを含む）や、軟質塩化ビニル樹脂等の軟質合成樹脂で構成することができる。
【００２９】
クリップ部２０は、保持部１０の母線の方向に延び、保持部１０よりも幅の狭い棒状ないし板状のクリップであれば、公知の構造のものを採用できる。
保持部１０とクリップ部２０は、初めから一体に形成することもできるし、別体のものを一体化することもできる。一体化の手段としては、接着、溶着を採用することができる。
また、例えば、図１に示すように、保持部１０に凹溝１４を設け、この凹溝１４にクリップ部２０の基部２４を圧入することで、クリップ部２０を保持部１０に取り付けるようにすることもできる。保持部１０の凹溝１４とクリップ部２０の基部２４は接着することもできる。
【００３０】
スリット１２は、クリップ部２０との対向部１１以外の部位であれば、任意の部位に設けることができる。図１（ｄ）に示したように保持部１０の軸線方向から見てクリップ部２０と反対側に設けた場合には、前述した通りの作用効果が得られるが、例えば図１（ｅ）に示すように、保持部１０の軸線方向から見てクリップ部２０から約９０度の位置に設けることもできる。
【００３１】
このように構成すると、スリット１２から保持部１０内にテンプル部４１の一部４１ｃを押し込んで眼鏡ホルダー１をテンプル部４１に装着する際、眼鏡ホルダー１をその軸線方向回りに回動させなくても、クリップ部２０がテンプル部４１の外側に位置するようにすることができる。
【００３２】
なお、以上の説明では、図２（ｂ）において仮想線１’から実線１に示すように、スリット１２から保持部１０内にテンプル部４１の一部４１ｃを押し込むことで眼鏡ホルダー１をテンプル部４１に装着する場合について説明したが、眼鏡ホルダー１１は、図２（ｂ）において仮想線１’’から実線１に示すように、テンプル部４１を保持部１０に差し込むことでテンプル部４１の一部４１ｃに装着することもできる。
【００３３】
以上、本発明の実施の形態について説明したが、本発明は上記の実施の形態に限定されるものではなく、本発明の要旨の範囲内において適宜変形実施可能である。
また、この眼鏡ホルダー１は、眼鏡を外した際、クリップ部２０を衣服のポケットに限らずバッグ等のポケット等に掛け留めすることで、バッグ等のポケット等に眼鏡（４０）を保持させることもできる。
【符号の説明】
【００３４】
１：    眼鏡ホルダー
１０：    保持部
４０：    眼鏡フレーム
４１：    テンプル部
４１ｃ：    テンプル部の一部
５０：    衣服
５１：    ポケット
２０：    クリップ部
１３：    内部
１１：    クリップ部との対向部
１２：    スリット
１２ｇ：  ガイド口
【図１】
2020030228.tif 000003
【図２】
2020030228.tif 000004
【図３】
2020030228.tif 000005
【図４】
2020030228.tif 000006